(57)【特許請求の範囲】
【請求項１】
外部機器との電気的接続を行う外部インターフェイスパネル部を底面に設けた装置本体と、該装置本体に取り付けられて上記外部インターフェイスパネル部を覆う防水カバーと、を備え、
上記装置本体は、上記外部インターフェイスパネル部の周囲を囲む筒状のインターフェイスパネル囲繞部を備え、
上記防水カバーは、有底筒状に形成されていて上端部に上記装置本体のインターフェイスパネル囲繞部に嵌合する嵌合部を備え、底面部には上記外部インターフェイスパネル部に接続したケーブルを外部に導き出す開口部を備え、
上記防水カバーは、上記インターフェイスパネル囲繞部の内周面側に上記嵌合部が嵌合するようになっていて、上記インターフェイスパネル囲繞部の内周面と上記嵌合部の外周面には、上記インターフェイスパネル囲繞部内に上記嵌合部を嵌合したときに互いに係合して上記装置本体に上記防水カバーを係止する係合凸部と係合凹部を設け、
上記装置本体と上記防水カバーは、上記装置本体に上記防水カバーを取り付けたとき互いに重なり合うフランジ状の庇部を備えていることを特徴とする携帯型情報端末装置。
【請求項２】
上記装置本体のフランジ状の庇部と上記防水カバーのフランジ状の庇部は、上記装置本体に上記防水カバーを取り付けた状態において、上記庇部の外周側で密着し、内周側に行くに従って隙間が増大することを特徴とする請求項１に記載の携帯型情報端末装置。
【請求項３】
上記防水カバーの開口部の内周には、上記装置本体側に向かって徐々に縮径しながら傾斜状に伸びる遮水壁が設けられていることを特徴とする請求項１又は請求項２に記載の携帯型情報端末装置。
【請求項４】
上記防水カバーは、透明又は半透明の合成樹脂で形成されていることを特徴とする請求項１〜請求項３のいずれかに記載の携帯型情報端末装置。
【発明の詳細な説明】
【技術分野】
【０００１】
本発明は、外部機器との電気的接続を行う外部インターフェイスパネル部を底面に設けた装置本体と、該装置本体に取り付けられて上記外部インターフェイスパネル部を覆う防水カバーと、を備えた携帯型情報端末装置に関し、特に、防水カバーの取り付け、取り外しを容易に行うことができるようにすると共に、ＪＩＳ（日本工業規格）に規定されている3等級の程度の防水効果を容易に得ることができるようにしたものである。
【背景技術】
【０００２】
デジタル化された画像や音声等の情報を遠隔地にある情報装置に伝送するための携帯型情報端末装置が知られている。図８は上記携帯型情報端末装置１００の使用状態の一例を示す説明図である。上記携帯型情報端末装置１００は、操作者１０１の持つカメラ１０２からの画像情報等を圧縮処理して伝送媒体（通信網）１０３を介して伝送する。伝送された情報は、情報処理装置１０４で伸長処理されて再生されて表示装置１０５に表示される。
【０００３】
上記携帯型情報端末装置１００は、操作者１０１がカメラ１０２を手に持った状態でも携帯できるようにショルダーストラップ１０６で操作者１０１の肩に掛けられ、或は操作者１０１のウエストベルト１０７に取り付けられて持ち運び可能になっている。
【０００４】
図９，１０に示すように、上記携帯型情報端末装置１００は、カメラ等の外部機器と電気的接続を行う外部インターフェイスパネル部１１１を底面に設けた装置本体１１２と、該装置本体１１２に取り付けられて上記外部インターフェイスパネル部１１１を覆う防水カバー１１３と、を備えている。
【０００５】
上記防水カバー１１３は、円筒状の防水布１１４の一端１１４ａを上記装置本体１１２の底面に上記外部インターフェイスパネル部１１１を囲むようにして接着して取り付け、他端側を折り返すことにより形成された袋状部１１４ｂに紐１１５を通してループ状にし、上記紐１１５を収束具１１６で絞って塞ぐことにより上記外部インターフェイスパネル部１１１を覆って上記外部インターフェイスパネル部１１１を雨水等から保護する。なお、１１７は、上記外部インターフェイスパネル部１１１と外部機器を接続するインターフェイスケーブルである。（例えば、特許文献１参照）
【特許文献１】特開２００２−２９９８４５号公報
【発明の開示】
【発明が解決しようとする課題】
【０００６】
ところで、上記従来の携帯型情報端末装置１００は、防水カバー１１３を装置本体１１２に接着して取り付けているために、防水カバー１１３は、装置本体１１２に取り付けられた侭の状態になっているために、防水カバー１１３を使用する必要の無い晴天時などにおいては、防水カバー１１３の存在が外部インターフェイスパネル部１１１にインターフェイスケーブル１１７を接続する際に邪魔になる等の問題点があった。
【０００７】
本願発明の目的は、上記従来の問題点を解決し、雨天時等の防水カバーを使用するときに防水カバーを装置本体に取り付け、晴天時等の防水カバーを必要としないときには、防水カバーを装置本体から取り外すことのできる携帯型情報端末装置を提供することにある。
【課題を解決するための手段】
【０００８】
請求項１の発明は、外部機器との電気的接続を行う外部インターフェイスパネル部を底面に設けた装置本体と、該装置本体に取り付けられて上記外部インターフェイスパネル部を覆う防水カバーと、を備えた携帯型情報端末装置において、
上記装置本体には、上記外部インターフェイスパネル部の周囲を囲む筒状のインターフェイスパネル囲繞部を設ける一方、上記防水カバーを、有底筒状に形成し、上端部に上記装置本体のインターフェイスパネル囲繞部に嵌合する嵌合部を備え、底面部には上記外部インターフェイスパネル部に接続したケーブルを外部に導き出す開口部を設け、
上記防水カバーは、上記インターフェイスパネル囲繞部の内周面側に上記嵌合部が嵌合するようになっていて、上記インターフェイスパネル囲繞部の内周面と上記嵌合部の外周面には、上記インターフェイスパネル囲繞部内に上記嵌合部を嵌合したときに互いに係合して上記装置本体に上記防水カバーを係止する係合凸部と係合凹部を設け、
上記装置本体と上記防水カバーには、上記装置本体に上記防水カバーを取り付けたとき互いに重なり合うフランジ状の庇部を設けた。
【００１１】
請求項２の発明は、請求項１に記載の携帯型情報端末装置において、上記装置本体のフランジ状の庇部と上記防水カバーのフランジ状の庇部を、上記庇部の外周側で密着させ、内周側に行くに従って隙間が増大するようにした。
【００１２】
請求項３の発明は、請求項１又は請求項２に記載の携帯型情報端末装置において、上記防水カバーの開口部の内周には、上記装置本体側に向かって徐々に縮径しながら傾斜状に伸びる遮水壁を設けた。
【００１３】
請求項４の発明は、請求項１〜請求項３のいずれかに記載の携帯型情報端末装置において、上記防水カバーを、透明又は半透明の合成樹脂で形成した。
【発明の効果】
【００１４】
（１）請求項１の携帯型情報端末装置は、有底筒状の防水カバーの上端の嵌合部を装置本体のインターフェイスパネル囲繞部に嵌合することにより、装置本体に防水カバーを着脱可能に取り付けることができる。そして、上記有底筒状の防水カバーの底面部に設けた開口部を通して上記外部インターフェイスパネル部に接続したインターフェイスケーブルを外部に引き出すことができる。
また、インターフェイスパネル囲繞部の内周に防水カバーの上端の嵌合部を嵌合すると、これらインターフェイスパネル囲繞部の内周面と防水カバーの嵌合部の外周面に設けた係合凸部と係合凹部が互いに係合して装置本体からの防水カバーの脱落を防止する。
また、装置本体に防水カバーを取り付けると、これら装置本体と防水カバーに設けたフランジ状の庇部が接触して、雨水等の浸入を防止する。
（２）請求項２の携帯型情報端末装置は、装置本体のフランジ状の庇部と防水カバーのフランジ状の庇部を、上記庇部の外周側で密着させ、内周側に行くに従って隙間が増大するようにしたので、万一、装置本体のフランジ状の庇部と防水カバーのフランジ状の庇部の間から雨水等が浸入した場合でも、所謂毛細管現象によって雨水等が内側に引き込まれるのが防止される。
（３）請求項３の携帯型情報端末装置は、上記防水カバーの開口部の内周に上記装置本体側に向かって徐々に縮径しながら傾斜状に伸びる遮水壁を設けたので、インターフェイスケーブル等に当たって跳ね返ってきた雨水等が浸入するのを上記遮水壁により効果的に防止することができる。
（４）請求項４の携帯型情報端末装置は、防水カバーを透明又は半透明の合成樹脂で形成したので、防水カバーの外部から防水カバーの内部を透視して、インターフェイスケーブルの接続状態等を確認することができる。
【発明を実施するための最良の形態】
【００１５】
図１は装置本体から防水カバーを取り外した状態の斜視図、図２は装置本体に防水カバーを取り付けた状態の斜視図、図３は装置本体に防水カバーを取り付けた状態の正面図、図４は図３のＡ−Ａ断面図、図５は図４のフランジ状の庇部部分（２点鎖線の円形Ａで囲んだ部分）の拡大図、図６は図４の防水カバーの底面部分（２点鎖線の円形Ｂで囲んだ部分）の拡大図、図７は防水カバーの底面部分の他の実施例の断面図である。
【００１６】
携帯型情報端末装置１は、例えば、図８に示すようにデジタル化された画像や音声等の情報を遠隔地にある情報装置に伝送するための携帯型情報端末装置として構成されている。
【００１７】
携帯型情報端末装置１は、装置本体２と、該装置本体２の下端に着脱自在に取り付けられる防水カバー３と、を備えている。
【００１８】
上記装置本体２は、防水効果を有する筐体２１と、該筐体２１の内部に内蔵されている各種の内蔵部品（図示省略）と、上記筐体２１の天面に設けられていて携帯型情報端末装置１の操作を行うスイッチやモニタ表示部等を設けた操作パネル部２２と、筐体２１の底面に設けられていて外部機器との電気的接続を行う外部インターフェイスパネル部２３と、を備えている。
【００１９】
筐体２１は、合成樹脂等の防水性を有する素材により扁平な直方体形状に形成されている、操作パネル部２２には、シート・スイッチ等の防水性を有する部品が使用されていて防水性を高められている。また、外部インターフェイスパネル部２３は、上述したように、筐体２１の底面に設けられている。
【００２０】
外部インターフェイスパネル部２３は、その周囲を筒状のインターフェイスパネル囲繞部２４で囲まれて雨水等から保護されている。インターフェイスパネル囲繞部２４は、筐体２１の底面側の周縁部を該底面から突出させることにより筐体２１の一部としてこれと一体に形成されている。
【００２１】
防水カバー３は、透明の合成樹脂で有底筒状に形成されていて上端部に装置本体２のインターフェイスパネル囲繞部２４に嵌合する嵌合部３１を備え、底面部３２には外部インターフェイスパネル部２３に接続したインターフェイスケーブル１１を外部に導き出す開口部３３を備えている。
【００２２】
インターフェイスパネル囲繞部２４の内面と嵌合部３１の外面には、インターフェイスパネル囲繞部２４内に嵌合部３１を嵌合したときに互いに係合して装置本体２に防水カバー３を係止する係合凸部４１と係合凹部４２とを備えている。
【００２３】
係合凸部４１は、インターフェイスパネル囲繞部２４を構成する長短それぞれ一対の辺うち長辺の対向部に設けられている。また、係合凹部４２は、インターフェイスパネル囲繞部２４の一対の長辺の内面に重なり合う嵌合部３１の一対の長辺の外面に設けられていて、インターフェイスパネル囲繞部２４内に嵌合部３１を嵌合したときに、係合凸部４１が係合凹部４２に係合して、装置本体２から防水カバー３が脱落するのを防止する。
【００２４】
装置本体２と防水カバー３は、装置本体２に防水カバー３を取り付けたとき互いに重なり合うフランジ状の庇部４３，４４を備えている。
【００２５】
装置本体２のフランジ状の庇部４３と防水カバー３のフランジ状の庇部４４は、装置本体２に防水カバー３を取り付けた状態において、図５に示すように、フランジ状の庇部４３，４４の外周側で密着し、内周側に行くに従って庇部４３，４４の隙間Ｇが増大するようになっていて、万一、雨水が庇部４３，４４に浸入した場合でも、所謂毛細管現象等によって雨水が内側に浸入するのを防止している。
【００２６】
図６に示すように、防水カバー３の底面部３２の開口部３３の周縁を上方に向けて略直角に折り曲げて遮水壁４５が設けられている。なお、図７に示すように、遮水壁４５を先端に行くに従って、換言すれば遮水壁４５を装置本体２側に行くに従って徐々に縮径させることにより遮水効果を向上させる構成にしてもよい。
【００２７】
実施例の携帯型情報端末装置１は、上述のような構成であって、防水カバー３を使用する際には、図１に示すように、防水カバー３の底面側から開口部３３に挿入したインターフェイスケーブル１１の先端のコネクタを外部インターフェイスパネル部２３のコネクタに接続した後に、防水カバー３の嵌合部３１をインターフェイスパネル囲繞部２４に嵌合する。
【００２８】
防水カバー３の嵌合部３１をインターフェイスパネル囲繞部２４に嵌合すると、図５に示すように、防水カバー３のフランジ状の庇部４４の外周部が装置本体２のフランジ状の庇部４３の外周部に密着して、両者の間が封止されると共に、インターフェイスパネル囲繞部２４の内面に設けた係合凸部４１が嵌合部３１の外面に設けた係合凹部４２に係合して、防水カバー３は装置本体２に取り付けられる。
【００２９】
そして、防水カバー３で外部インターフェイスパネル部２３を覆って、該外部インターフェイスパネル部２３を雨水等から保護する。そして、防水カバー３が不必要になった場合には、装置本体２から防水カバー３を引き抜くことにより容易に取り外すことができる。
【００３０】
なお、図１に示す防水カバー３の対向する主面３ａ，３ｂを指先等で挟んで内側、即ち互いに接近する方向に撓ませることにより、防水カバー３の取り付け、取り外しを容易に行うことができる。また、上記実施例では、インターフェイスパネル囲繞部２４の内面に係合凸部４１を設け、嵌合部３１の外面に係合凹部４２を設けた場合を示したが、これとは逆に、インターフェイスパネル囲繞部２４の内面に係合凹部４２を設け、嵌合部３１の外面に係合凸部４１を設けても良い。
【図面の簡単な説明】
【００３１】
【図１】装置本体から防水カバーを取り外した状態の斜視図。
【図２】装置本体に防水カバーを取り付けた状態の斜視図。
【図３】装置本体に防水カバーを取り付けた状態の正面図。
【図４】図３のＡ−Ａ断面図。
【図５】図４のフランジ状の庇部部分（２点鎖線の円形Ａで囲んだ部分）の拡大図。
【図６】図４の防水カバーの底面部分（２点鎖線の円形Ｂで囲んだ部分）の拡大図。
【図７】防水カバーの底面部分の他の実施例の断面図。
【図８】携帯型情報端末装置１００の使用状態の一例を示す説明図。
【図９】従来の防水カバーの一例を示す斜視図。
【図１０】従来の防水カバーで外部インターフェイスパネル部を塞いだ状態を示す斜視図。
【符号の説明】
【００３２】
１…携帯型情報端末装置
２…装置本体
３…防水カバー
１１…インターフェイスケーブル
２１…筺体
２２…操作パネル部
２３…外部インターフェイスパネル部
２４…外部インターフェイスパネル囲繞部
３１…嵌合部
３２…底面部
３３…開口部
３４…遮水壁
４１…係合凸部
４２…係合凹部
４３…装置本体のフランジ状の庇部
４４…防水カバーのフランジ状の庇部
【図１】
0004910928.tif 000002
【図２】
0004910928.tif 000003
【図３】
0004910928.tif 000004
【図４】
0004910928.tif 000005
【図５】
0004910928.tif 000006
【図６】
0004910928.tif 000007
【図７】
0004910928.tif 000008
【図８】
0004910928.tif 000009
【図９】
0004910928.tif 000010
【図１０】
0004910928.tif 000011